(57)【要約】【課題】被保護面からはみ出さない形状で、且つ別部品を用いることなく簡単に剥がすことができる保護フィルムを提供する。【解決手段】被保護面に貼付けられる保護フィルム１１において、この保護フィルム１１を、フィルム主体１２と、このフィルム主体１２の裏面に設けられ、被保護面にフィルム主体１２を貼付かせる粘着部１３とから構成する。フィルム主体１２は、被保護面と同じ又はそれよりやや小さい大きさを有して、その表面のほぼ全域に指でつまむことが可能な大きさの複数のほぼ半球状の突起部１４が形成されている。【選択図】図１
2008115287.tif 000002
【特許請求の範囲】
【請求項１】
被保護面を保護するために該被保護面に貼付けられる保護フィルムにおいて、
前記被保護面と同じ又はそれよりやや小さい大きさを有して、その表面のほぼ全域に指でつまむことが可能な大きさの複数の突起部が形成されたフィルム主体と、
このフィルム主体の裏面に設けられ、前記被保護面に前記フィルム主体を貼付かせる粘着部とから構成されていることを特徴とする保護フィルム。
【発明の詳細な説明】
【技術分野】
【０００１】
本発明は、被保護面に貼付けられる保護フィルムに関する。
【背景技術】
【０００２】
例えば、近年の自動車には、オーディオ機器やエアコン等の動作状態を表示する液晶表示装置が搭載されているものがある。この液晶表示装置の液晶ディスプレイの表示面（被保護面）には、特に組立て工程中にそれが傷付かないように、保護フィルムが貼付けられている。
【０００３】
図６は、組立て工程中の液晶表示装置１を概略的に示す分解斜視図である。液晶表示装置１は、矩形箱状の液晶ディスプレイ２がほぼ矩形箱状の装置本体３の上面に設けられ、液晶ディスプレイ２の表示面（図６中の上面）を囲う開口部４を有するパネル５が、ねじ６により装置本体３上に取付けられる構成である。液晶ディスプレイ２の表示面には、予め表示面の全面を覆うように保護フィルム７が貼付けられている。従って、パネル５が装置本体３に取付けられると、表示面及び保護フィルム７がパネル５の開口部４から露出される構成となる。保護フィルム７は、液晶表示装置１の組立て完成後、車両の出荷段階で剥がされる。
【０００４】
前記保護フィルム７は、図７に示すように、表面が平滑に加工された例えばＰＥＴ（ポリエチレンテレフタレート）樹脂からなるフィルム主体８と、このフィルム主体８の裏面に設けられ、被保護面から剥離できる粘着剤からなる粘着部９とから構成されている。
【０００５】
保護フィルム７の大きさは、基本的に液晶ディスプレイ２の表示面と同じであり、ただ、それだけでは保護フィルム７を剥がすためのきっかけとなる部分が無く、剥がしにくい。そのため、表示面より一部はみ出すつまみ部７ａを保護フィルム７に一体に設け、そのつまみ部７ａをつまませるようにしている（特許文献１参照）。
【０００６】
一方、保護フィルム７につまみ部７ａを設けず、保護フィルム７を剥がす際に、粘着部９よりも粘着力の強いテープを保護フィルム７の上面に貼付けて、このテープと共に、保護フィルム７を表示面から剥がすことも行われている。
【特許文献１】特開２００６−１５５４５２号公報
【発明の開示】
【発明が解決しようとする課題】
【０００７】
しかしながら、つまみ部７ａを設ける方法では、パネル５が装置本体３に取付けられたときに、つまみ部７ａが、パネル５の開口部４の周縁部によって下方へ折れ曲げられ、液晶ディスプレイ２の側面とパネル５の開口部４の周縁部との間に挟まれた状態となる。そのため、保護フィルム７につまみ部７ａを設けたにもかかわらず、つまむことができなくなる。
一方、粘着力の強いテープと共に、保護フィルム７を表示面から剥がす方法では、テープ等の別部品を逐一使って保護フィルム７を剥がさなければならず、作業が面倒である。
【０００８】
本発明は、上記の事情に鑑みてなされたものであり、その目的は、被保護面からはみ出さない形状で、且つ別部品を用いることなく簡単に剥がすことができる保護フィルムを提供するものである。
【課題を解決するための手段】
【０００９】
上記目的を達成するために、本発明の保護フィルムは、被保護面を保護するために該被保護面に貼付けられる保護フィルムにおいて、前記被保護面と同じ又はそれよりやや小さい大きさを有して、その表面のほぼ全域に指でつまむことが可能な大きさの複数の突起部が形成されたフィルム主体と、このフィルム主体の裏面に設けられ、前記被保護面に前記フィルム主体を貼付かせる粘着部とから構成されていることを特徴としている。
【発明の効果】
【００１０】
本発明の保護フィルムによれば、フィルム主体に形成された突起部を指でつまんで引くことにより、被保護面に貼付けられた保護フィルムを剥がすことができる。この場合、フィルム主体の大きさは被保護面と同じ又はそれよりやや小さく、又、突起部はフィルム主体の表面に形成されているので、保護フィルムを被保護面からはみ出さない形状にすることができる。さらに、保護フィルムは、フィルム主体に形成された突起部を指でつまんで剥がすことができるので、別部品を用いることなく簡単に剥がすことができる。
【００１１】
加えて、突起部はフィルム主体の表面のほぼ全域に複数形成されているので、保護フィルムの全体として耐衝撃性を高めることができる。又、突起部がフィルム主体の表面のほぼ全域に複数形成されていることで、保護フィルムが被保護面に貼ってあることに気付きやすくなり、剥がし忘れを防止することができる。
【００１２】
そのほか、突起部がフィルム主体のほぼ全域に複数形成されていることで、衝撃がその突起部を介して、被保護面と直交する方向以外、ななめ方向からも加わりやすくなるものの、それを被保護面にフィルム主体を貼付かせる粘着部で耐え、被保護面との間で擦り等を生じにくくできるので、被保護面の保護がより確実にできる。
【発明を実施するための最良の形態】
【００１３】
以下、本発明を、自動車に搭載される液晶表示装置の組立て工程中に、この装置の液晶ディスプレイの表示面（被保護面）を保護するために貼付けられる保護フィルムに適用して、いくつかの実施形態について、図１乃至図５を参照しながら説明する。
まず、本発明の第１の実施形態について図１及び図２を参照して説明する。図１は、本実施形態の保護フィルム１１の断面図である。図２は、保護フィルム１１の上面図である。
【００１４】
保護フィルム１１は、図１に示すように、フィルム主体１２と、このフィルム主体１２の裏面（下面）の全域に設けられる粘着部１３とから構成されている。
フィルム主体１２は、独立した気泡を複数有する気泡性緩衝シートからなり、液晶ディスプレイ（図示せず）の表示面と同じ又はそれよりやや小さい大きさである。この気泡性緩衝シートは、詳しくは図示しないが、例えば、複数の突起部１４を形成したプラスチック製のフィルムと、このフィルムの裏面に貼合わされる平坦なプラスチック製のフィルムとから構成されている。この２枚のフィルムを貼合わせることにより、突起部１４の内部に密閉した空気室１５（気泡）が形成される。
【００１５】
各突起部１４の形状は、ほぼ半球状である。この突起部１４は指でつまむことが可能な大きさであり、例えば、直径が７〜３２ｍｍ、高さが４〜１５ｍｍであり、好ましくは直径が１０〜１５ｍｍ、高さが１０〜１５ｍｍである。又、これら突起部１４は、図２に示すように、フィルム主体１２の表面のほぼ全域に、千鳥状に配置されている。
一方、粘着部１３は、前記液晶ディスプレイの表示面にフィルム主体１２を貼付かせた後、フィルム主体１２を剥離することができる粘着剤で構成されている。
【００１６】
次に、本実施形態の作用及び効果について説明する。
まず、液晶ディスプレイの表示面に保護フィルム１１が貼付けられる。次に、この液晶ディスプレイが取付けられている装置本体（図示せず）に、表示面を囲う開口部を有するパネル（図示せず）が取付けられる。このようにして組立てが完成した液晶表示装置は、車両（図示せず）に取付けられる。
そして、車両の出荷段階で、保護フィルム１１の突起部１４を指でつまんで引くことにより、この保護フィルム１１を剥がす。
【００１７】
この場合、フィルム主体１２の大きさは表示面と同じ又はそれよりやや小さく、又、突起部１４はフィルム主体１２の表面に形成されているので、保護フィルム１１を表示面からはみ出さない形状にすることができる。従って、従来のように、パネル５が装置本体３に取付けられる時に、保護フィルム７の一部（つまみ部７ａ）が液晶ディスプレイ２の側面とパネル５の開口部４の周縁部との間に挟まれて保護フィルム７が剥がしにくくなるといった不具合は発生せず、パネルを取付けた後でも保護フィルム１１を簡単に剥がすことができる。
【００１８】
さらに、保護フィルム１１は、フィルム主体１２に形成された突起部１４を指でつまんで剥がすことができるので、テープ等の別部品を用いることなく簡単に剥がすことができる。
加えて、突起部１４はフィルム主体１２の表面のほぼ全域に複数形成されているので、保護フィルム１１の全体として耐衝撃性を高めることができる。又、突起部１４がフィルム主体１２の表面のほぼ全域に複数形成されていることで、保護フィルム１１が表示面に貼ってあることに気付きやすくなり、剥がし忘れを防止することができる。
【００１９】
そのほか、突起部１４がフィルム主体１２のほぼ全域に複数形成されていることで、衝撃がその突起部１４を介して、表示面と直交する方向以外、ななめ方向からも加わりやすくなるものの、それを表示面にフィルム主体１２を貼付かせる粘着部１３で耐え、表示面との間で擦り等を生じにくくできるので、表示面の保護がより確実にできる。
【００２０】
図３は、本発明の第２の実施形態を示すものであり、第１の実施形態と異なるところを説明する。尚、そのほかの各実施形態においても同様であり、上記第１の実施形態と同一部分には同一の符号を付し、詳しい説明を省略する。
【００２１】
第２の実施形態が上記第１の実施形態と異なる点は、保護フィルム２１のフィルム主体２２に形成される突起部２３の形状である。即ち、第２の実施形態の突起部２３は、フィルム主体２２の一辺に平行に延びる形状である。具体的には、１つの突起部２３は横置きの半円柱状であり、長手方向の両端部が丸く形成されている。この突起部２３は、長手方向とは直交する方向の両側から指でつまむことが可能な大きさであり、フィルム主体２２に複数個、本実施形態では８個形成されている。
上記構成の保護フィルム２１においても、第１の実施形態の保護フィルム１１と同様の効果を得ることができる。
【００２２】
図４は本発明の第３の実施形態を示すものであり、保護フィルム３１のフィルム主体３２が上記第１の実施形態のフィルム主体１２と異なる。即ち、本実施形態のフィルム主体３２は、複数のほぼ半球状の突起部３３が形成されたプラスチック製のフィルムのみから構成されている。そのため、突起部３３の下面は開口され、突起部３３の内部に外部と連通する空間３４が形成される。
又、保護フィルム３１は、このフィルム主体３２と、フィルム主体３２の裏面の平坦な面に設けられる粘着部１３とから構成されている。
【００２３】
上記構成の保護フィルム３１においても、第１の実施形態の保護フィルム１１と同様の効果を得ることができる。
さらに、本実施形態のフィルム主体３２は、第１の実施形態で示した平坦なフィルムを設けない構成であるので、フィルム主体３２の部品点数及びフィルム主体３２の製作工数を低減することができる。
【００２４】
図５は本発明の第４の実施形態を示すものであり、保護フィルム４１のフィルム主体４２が上記第１の実施形態のフィルム主体１２と異なる。即ち、本実施形態のフィルム主体４２は、ほぼ半球状の突起部４３の内部が中実となるように構成されており、この突起部４３が複数、一体に形成されたプラスチック製のフィルムで構成されている。
【００２５】
上記構成の保護フィルム４１においても、第１の実施形態の保護フィルム１１と同様の効果を得ることができる。
さらに、本実施形態のフィルム主体４２の突起部４３の内部を中実の構成にすることにより、例えば、鋭利な物が保護フィルム４１に当たっても、突起部４３は破損しにくく、表示面の保護効果をさらに高めることができる。
【００２６】
尚、本発明は上記し且つ図面に示す実施形態に限定されず、次のような変形、拡張が可能である。
上記第１、第３及び第４の実施形態で千鳥状とした突起部１４，３３，４３の配置は、任意に変更しても良い。又、これらの突起部１４，３３，４３の形状は、円柱、三角柱、四角柱等の多角柱或いは円錐、三角錐、四角錐等の多角錐に変更、又はそれらを組合わせても良い。
上記第２の実施形態の突起部２３は、多角柱状でも良い。
【００２７】
上記各実施形態において、フィルム主体を有色の材料から構成し、保護フィルムの剥がし忘れの防止効果をさらに高めても良い。
又、上記実施形態では、液晶ディスプレイの組立て工程中に貼付けられる保護フィルムに適用して説明したが、他の被保護面を有する製品の表面にも、本発明を適用することができる。さらには、上記した構成部品の材料等についても、適宜変更することができる。
【図面の簡単な説明】
【００２８】
【図１】本発明の第１の実施形態を示す保護フィルムの縦断面図
【図２】保護フィルムの上面図
【図３】本発明の第２の実施形態を示す図２相当図
【図４】本発明の第３の実施形態を示す図１相当図
【図５】本発明の第４の実施形態を示す図１相当図
【図６】従来例を示す装置本体、液晶ディスプレイ、保護フィルム、パネル、ねじの斜視図
【図７】図１相当図
【符号の説明】
【００２９】
図面中、１１，２１，３１，４１は保護フィルム、１２，２２，３２，４２はフィルム主体、１３は粘着部、１４，２３，３３，４３は突起部を示す。
【図１】
2008115287.tif 000003
【図２】
2008115287.tif 000004
【図３】
2008115287.tif 000005
【図４】
2008115287.tif 000006
【図５】
2008115287.tif 000007
【図６】
2008115287.tif 000008
【図７】
2008115287.tif 000009